(57)【要約】  本発明は、少なくとも１つの第１のアンテナ（９）及び第２のアンテナ（１０）を有するモバイル無線装置を試験する方法、モバイル無線装置（２）並びに試験機器（１）に関する。試験機器（１）の信号生成ユニット（５）は試験信号（２７）を生成する。試験信号は試験されるべきモバイル無線装置（２）へ送信され、モバイル無線装置（２）により受信され評価される。次に、モバイル無線装置（２）は応答信号（３１）を生成し、該応答信号を第１のアンテナ（９）及び／又は第２のアンテナ（１０）を介して送信するための送信スケジュール（３０）が定められる。応答信号（３３）は、送信スケジュールに従って送信され、試験機器（１）により受信される。用いられる送信スケジュールは、試験機器により決定される。次に、用いられる送信スケジュール（３６）が決定される。
2010522490.tif 000002
【特許請求の範囲】
【請求項１】
少なくとも１つの第１のアンテナ及び第２のアンテナを有するモバイル無線装置を試験する方法であって：
−試験機器の信号生成ユニットにより試験信号を生成する段階；
−試験されるべきモバイル無線装置へ前記試験信号を送信する段階；
−前記モバイル無線装置により前記試験信号を受信する段階；
−前記モバイル無線装置により前記試験信号を評価する段階；
−前記モバイル無線装置により応答信号を生成する段階；
−前記第１のアンテナ及び／又は前記第２のアンテナを介して前記応答信号の送信のための送信スケジュールを決定し、該送信スケジュールに従って前記応答信号を送信する段階；
−前記試験機器により前記応答信号を受信する段階；及び
−用いられる前記送信スケジュールを決定する段階；
を有する方法。
【請求項２】
試験機器の各ポートがモバイル無線装置の各アンテナに接続され、前記用いられる送信スケジュールは前記個々のポートに入来する信号成分の比較により前記応答信号の送信のために決定される、
ことを特徴とする請求項１記載の方法。
【請求項３】
前記応答信号は、前記試験機器により評価され、
前記決定された送信スケジュールは、前記試験機器によりバッファに格納され、
前記の評価された応答信号は、バッファに格納され、
前記決定された送信スケジュール及び／又は前記評価された応答信号をバッファに格納するときに、前記評価された応答信号の時間割り当て及び前記決定された送信スケジュールの時間割り当てに関する情報項目がバッファに格納される、
ことを特徴とする請求項１又は２記載の方法。
【請求項４】
前記信号生成ユニットにより生成された前記試験信号では、用いられるべき送信スケジュールが予め設定される、
ことを特徴とする請求項１乃至３のいずれか一項記載の方法。
【請求項５】
前記決定された送信スケジュールは、予め設定された用いられるべき送信スケジュールと比較される、
ことを特徴とする請求項１乃至４のいずれか一項記載の方法。
【請求項６】
前記試験機器の前記ポートを介して受信された前記信号成分は、前記応答信号の評価のために結合される、
ことを特徴とする請求項１乃至５のいずれか一項記載の方法。
【請求項７】
前記モバイル無線装置は、前記応答信号内で、前記の信号の受信のために用いられるべき前記アンテナの受信スケジュールに関する情報項目を送信する、
ことを特徴とする請求項１乃至６のいずれか一項記載の方法。
【請求項８】
前記モバイル無線装置の前記受信スケジュールは、前記試験機器により受信した前記応答信号から決定される、
ことを特徴とする請求項７記載の方法。
【請求項９】
送信／受信装置に接続された信号生成ユニット及び評価ユニットを有する試験機器であって、
当該試験機器は、前記送信／受信装置を少なくとも１つの第１のポート及び第２のポートに接続する分岐装置を設ける、
試験機器。
【請求項１０】
前記分岐装置は、前記第１のポート及び前記第２のポートを介して受信された信号成分の比較のために設けられた比較装置を設ける、
ことを特徴とする請求項９記載の試験機器。
【請求項１１】
前記信号生成ユニットは、送信スケジュール及び／又は受信スケジュールを予め設定するプリセット装置を有する、
ことを特徴とする請求項９又は１０記載の試験機器。
【請求項１２】
少なくとも１つの送信／受信装置及び少なくとも１つの第１のアンテナ及び第２のアンテナを有するモバイル無線装置であって、
別個の試験ポートが各アンテナに配置される、
ことを特徴とするモバイル無線装置。
【請求項１３】
前記送信／受信装置は、コネクション制御装置を介して前記第１のアンテナ及び前記第２のアンテナに接続される、
ことを特徴とする請求項１２記載のモバイル無線装置。
【請求項１４】
制御ユニットは、前記送信／受信装置及び前記コネクション制御装置に接続される、
ことを特徴とする請求項１３記載のモバイル無線装置。
【発明の詳細な説明】
【技術分野】
【０００１】
本発明は、モバイル無線装置を試験する方法、対応するモバイル無線装置及び試験機器に関する。
【背景技術】
【０００２】
モバイル無線装置の製造では、全ての完成したモバイル無線装置が機能及び仕様を順守しているかを監視するために検査される。この検査では、モバイル無線装置はテスター又は試験機器に接続される。この試験機器は、基地局をエミュレートする。従って、試験機器とモバイル無線装置との間で、それぞれ有効な仕様に従ってコネクションが確立される。通常ケーブル結合の方法で実現されるこのコネクションを通じて、テスト・シーケンスがモバイル無線装置へ送信される。このテスト・シーケンスは、モバイル無線装置内の試験ループの間ずっと働く。また、応答信号がモバイル無線装置により生成され、試験機器へ返送される。試験機器内の試験信号の生成の観点から、応答信号は、試験信号の処理にエラーがない理想的な場合にモバイル無線装置により再送信され、試験機器に知らされる。従って、試験機器は、例えばモバイル無線装置から実際に受信した応答信号に基づき、予測した応答信号との比較により、ビット・エラー・レートの決定又はブロック・レートの決定を実施しうる。
【０００３】
知られている試験方法、対応する試験機器及びモバイル無線装置の場合には、モバイル無線装置が１つのポートのみを介して試験機器に接続されるという欠点がある。しかしながら、モバイル無線装置による内部データ処理は、実際にはこの方法で監視され、選択した送信経路の検査を実施することができない。
【０００４】
従って、コネクションの場合にモバイル無線装置に利用可能な、幾つかの利用可能アンテナ間での切り替え機能は実行できない。特に、送信のために各場合に用いられるアンテナの選択と試験結果との間の相関を得ることができない。
【発明の概要】
【発明が解決しようとする課題】
【０００５】
従って、本発明の目的は、検査されるべき送信に用いられるモバイル無線装置のアンテナを選択可能にする方法、対応する試験機器及びモバイル無線装置を提供することである。
【課題を解決するための手段】
【０００６】
上述の目的は、請求項１の特徴に定められた本発明による方法、請求項９の特徴を有する本発明による試験機器及び請求項１２の特徴を有するモバイル無線装置により達成される。
【０００７】
本発明による試験方法では、試験信号は試験機器内で生成される。試験信号は信号生成ユニットにより生成される。このテスト・シーケンス、例えばビット・シーケンスは、所与のモバイル無線規格に従い、送信されるべき試験信号に変換される。このように送信される試験信号は、モバイル無線装置へ転送される。試験信号は、モバイル無線装置により受信され評価される。評価された試験信号から、又は少なくとも評価された試験信号を考慮に入れて、応答信号がモバイル無線装置により生成される。更に、モバイル無線装置は、試験機器へ返送される応答信号の送信のための送信スケジュールを定める。送信スケジュールも、場合によって基地局又は試験装置により予め設定されうる。本例では、モバイル無線装置の複数のアンテナの使用が、送信スケジュール内で定められる。従って、送信スケジュールに従った送信は、複数のアンテナのうちの１つのみを介して又は合同で複数のアンテナを介して予め設定された電力及び位相分布で実施されうる。
【０００８】
このように定められた送信スケジュールに従い、応答信号は、モバイル無線装置により試験機器へ再送信される。試験機器は、応答信号を受信し、モバイル無線装置により用いられる送信スケジュールを決定しうる。
【０００９】
本発明による方法は、応答信号を評価することによりモバイル無線装置により送信された試験信号の内容の評価が検査されるだけでなく、モバイル無線装置の内部機能も試験機器により監視されるという利点を有する。従って、特に間接的にも、アルゴリズムがモバイル無線装置に実装されているか否かを検査することが可能である。これにより、種々の送信スケジュールからの選択又は個々の送信スケジュールの決定が可能である。この目的のため、本発明による試験機器では、分岐装置は試験機機内に配置される。分岐装置は、一方で試験機器の送信／受信装置に接続され、他方で少なくとも１つの第１のポート及び第２のポートに接続される。第１のポート又は第２のポートにより、モバイル無線装置とのコネクションが生成されうる。従って、本発明によるモバイル無線装置は第１のアンテナ及び第２のアンテナを設け、別個の試験ポートが各アンテナに接続され別個の試験ポートが各アンテナに接続される。従って、ケーブル接続を用い、個々のアンテナ・ポートは試験機器のポートに接続されうる。従って、試験機器内で、試験機器のどちらのポートを介して応答信号が受信されたかが決定されうる。
【００１０】
本発明による方法及び試験機器及びモバイル無線装置の更なる利点は従属請求項に定められる。
【００１１】
特に、有利なことに、モバイル無線装置の各アンテナは試験機器のポートに接続され、試験装置の個々のポートを介して受信された応答信号又は信号成分から、比較により送信スケジュールが決定される。この目的のために、比較装置が試験機器の分岐装置内に配置される。この比較装置は、試験機器の第１のポート又は第２のポートを介して受信された信号成分が互いに比較されうるようにされる。この比較は、モバイル無線装置の送信スケジュールを決定する基礎である。
【００１２】
更なる好適な実施例によると、このように決定された送信スケジュールは、試験機器によりバッファに格納される。更に、評価された応答信号はバッファに格納され、決定された送信スケジュール及び評価された応答信号をバッファに格納するときに、評価された応答信号の時間割り当て及び送信スケジュールの時間割り当てに関する情報項目がバッファに格納される。この決定された送信スケジュールの時間の関連付け及び評価された応答信号の時間の関連付けは、応答信号の評価、従って送信スケジュールの決定又は選択のときの動作方法を、モバイル無線装置で利用可能なアンテナの１つを介する選択された送信経路に関して検査することを可能にする。
【００１３】
モバイル無線装置が試験機器により、どの送信スケジュールが応答信号の再送信のために用いられるべきかに関して予め設定されうるならば、更に有利である。この目的のために、試験機器は信号生成ユニットを設ける。信号生成ユニットは、テスト・シーケンスの生成の場合に、試験信号と共にモバイル無線装置により用いられそして送信されるべき送信スケジュールを予め設定する。従って、どの送信スケジュールが応答信号の再送信のために用いられるべきかに関する指示がモバイル無線装置に与えられる。
【００１４】
この目的のために、モバイル無線装置は、望ましくは制御ユニットを設ける。制御ユニットは、送信／受信ユニット及送信経路を制御するコネクション制御ユニットに少なくとも第１のアンテナ及び／又は第２のアンテナを介して接続される。従って、試験機器は、プリセット装置を具えた信号生成ユニットを設ける。プリセット装置は、送信スケジュールを予め設定する能力を備えている。
【００１５】
この場合には、決定された送信スケジュールが試験機器のポートを介して受信された信号成分から決定されれば特に望ましい。
【００１６】
更なる好適な実施例によると、試験機器により個々のポートを介して受信された信号成分は、応答信号の評価のために結合される。従って、応答信号の全体が、モバイル無線装置から試験機器への送信の信号経路と独立に、例えばビット誤りレート又はブロック誤りレートを決定する基礎として用いられる。
【００１７】
更なる好適な実施例によると、応答信号を生成するときに、試験信号の信号の受信のときに用いられる受信スケジュールに関する情報項目が生成される。この応答信号に基づき、試験機器により受信された応答信号の評価のときに、信号の受信のときに異なる送信スケジュール間の選択が、特に試験信号により予め設定されたように、モバイル無線装置により正しく実施されているか否かに関する情報が得られる。
【００１８】
本発明による方法、試験機器及びモバイル無線装置の好適な実施例は、図面に示され、以下に詳細に説明される。図は、以下の通りである。
【図面の簡単な説明】
【００１９】
【図１】試験機器及びモバイル無線装置を具える試験のブロック回路図を示す。
【図２】本発明による方法の実施の概略表現を示す。
【発明を実施するための形態】
【００２０】
本発明による方法の実施のために、試験機器１及びモバイル無線装置２は互いに接続される。試験機器１は、送信されるべき試験信号を生成しモバイル無線装置２から再送された応答信号を評価する実際の試験装置３を有する。試験装置３は、分岐装置４に結合される。分岐装置４及び試験装置３は、２つの独立した装置の形式又は統合された形式のいずれかで設計されうる。前者の場合には、試験されるべきモバイル無線装置のための１つのポートのみを有する既存の試験装置は、従来の方法に適合し、当該方法ではモバイル無線装置２の幾つかのアンテナ間の切り替え機能が監視されうる。後者の場合には、分岐装置４は試験機器１の試験装置３内に統合され、２つのポートがモバイル無線装置２の対応する試験ポートとのコネクションのために接続されうる。
【００２１】
試験装置３は、テスト・シーケンスを生成する信号生成ユニット５を有する。テスト・シーケンスは、接続されたモバイル無線装置２の所与の応答が期待される情報シーケンスを有する。このテスト・シーケンスは、信号生成ユニット５から送信／受信ユニット６へ供給され、送信／受信ユニット６で送信されるべき試験信号を形成するために更に処理される。送信／受信ユニットは、接続点８を介して分岐装置４に接続される。送信／受信ユニットは、評価ユニット７とも接続される。評価ユニット７では、試験信号に応答してモバイル無線装置２により返送された応答信号が評価される。例えば、ビット・エラー・レート又はブロック・エラー・レートが評価された応答信号から決定されうる。更に、例えばエミュレートされた基地局により要求された電力調整に対する応答が測定されうる。
【００２２】
第１のアンテナ９及び第２のアンテナ１０は、モバイル無線装置２内に設けられる。モバイル無線装置２内の試験ポート１１及び１２は、各アンテナ９、１０に割り当てられる。本発明による方法を実施する前に、第１の試験ポート１１は、試験機器１の第１のポート１３に接続され、第２の試験ポート１２は試験機器１の第２のポート１４に接続される。第１の試験ポート１１を試験機器の第１のポート１３に接続するために、第１のケーブル１５が用いられる。同様に、モバイル無線装置２の第２の試験ポート１２は第２のケーブル１６を介して試験機器１の第２のポート１４に接続される。試験機器１とモバイル無線装置２との間のケーブル接続は、無線パスを介した送信の間に生じる干渉の影響が排除されることを保証する。無線送信との他の相違は、第１のポート又は第２のポート１４でそれぞれ受信された信号成分の試験機器による評価が、モバイル無線装置２と試験機器１との間の伝送パスが明らかに定められることを保証することである。
【００２３】
信号生成ユニット５により生成されたテスト・シーケンスは、所与のモバイル無線規格の仕様に従った試験信号を形成するために送信／受信ユニット６により上述のように更に処理される。この試験信号は、試験機器１の第１のポート１３及び第２のポート１４を介してモバイル無線装置２へ等しく送信されることが望ましい。両ケーブル１５、１６を介した送信は、実際に用いられる受信スケジュールと独立して、モバイル無線装置による正確な受信が保証されるという利点を有する。第１のアンテナ９若しくは第２のアンテナ１０又はモバイル無線装置２によりそれぞれ割り当てられた試験ポート１１若しくは１２の誤った評価は、試験信号の供給の正確さに影響しない。
【００２４】
モバイル無線装置２により受信された試験信号は、モバイル無線装置２の送信／受信装置１８へ供給される。この送信／受信装置１８は、受信した試験信号の内容を評価する手段も有する。送信／受信装置１８は、望ましくはコネクション制御装置１９を介してアンテナ９及び１０に接続される。コネクション制御装置１９は、送信／受信装置１８と第１のアンテナ９又は第２のアンテナ１０との間のコネクション、従って送信／受信装置１８の第１の試験ポート１１又は第２の試験ポート１２へのコネクションを制御する。
【００２５】
最も単純な例では、送信スケジュールは、存在する２つのアンテナ９、１０のうちの１つとの送信／受信装置１８のコネクションにより定められる。このような場合、コネクション制御装置１９は、スイッチ２０の形式で設計される。スイッチ２０は、送信／受信装置１８の個々のポートを、第１のアンテナ９又は第２のアンテナ１０へそれぞれ繋ぐケーブルに接続する。この最も単純な例では、送信／受信装置１８は、アンテナ９、１０のうちの一方にのみそれぞれ接続される。しかしながら、送信スケジュールは、同時に両アンテナ９、１０との接続も可能にしうる。この場合には、例えば、モバイル無線装置２により送信されるべき応答信号は、第１のアンテナ９及び第２のアンテナ１０の両方を介して送信される。従って、送信スケジュールは、信号成分がどの位相で個々のアンテナ９、１０を介して送信されるか又は個々の信号成分がどの電力容量でアンテナ９、１０を介して送信されるかを定める。
【００２６】
相応して、受信スケジュールも送信／受信装置１８により定められる。従って、送信／受信装置１８の場合には、２つの試験ポート１１、１２で又はアンテナ９、１０を介して受信された信号又は信号成分がどの方法で評価されるかが定められる。
【００２７】
ある好適な実施例によると、試験機器１により、再送信される応答信号がモバイル無線装置２により第１の試験ポート１１又は第２の試験ポート１２を介してどのように転送されるかが定められる。この目的のため、試験機器１の信号生成ユニット５の構成要素として、プリセット装置５’が設けられる。プリセット装置５’は、応答信号の再送信のために用いられるべき送信スケジュールを予め設定する。この方法で用いられる送信スケジュールを考慮して、信号生成ユニット５によりテスト・シーケンスが生成される。従って、この生成された試験信号は、モバイル無線装置２により評価されうる情報項目を有する。この方法でモバイル無線装置２へ送信された試験信号は、モバイル無線装置２により又はモバイル無線装置２の送信／受信装置１８により評価される。送信された試験信号の内容を評価するときに、用いられるべき予め設定された送信スケジュールも認識される。制御ユニット２１は、この送信スケジュールを変換するために設けられる。制御ユニット２１は送信／受信装置１８と接続される。制御ユニット２１はコネクション制御装置１９とも接続される。評価された試験信号に基づき、制御ユニット２１は、応答信号の再送信のための送信スケジュールを定め、コネクション制御装置１９を制御する。
【００２８】
更に、試験機器１は、比較装置２２を設ける。比較装置２２は、分岐装置４内に設けられ、第１のポート１３又は第２のポート１４を介して入来する信号又は信号成分が互いに比較されうるように設定される。試験機器１の第１のポート１３を介して入来する信号成分と第２のポート１４を介して入来する信号成分とのこの比較は、応答信号の送信のための各時点で用いられる試験ポート１１、１２、従って送信スケジュールに対応して用いられるモバイル無線装置２のアンテナ９、１０に関する情報を提供する。前述のように、比較装置２２は、第１のポート１３の信号成分と第２のポート１４の信号成分とを比較することにより、送信スケジュールを定め、送信スケジュールに関する情報を第２の接続点２４を介してバッファ装置２３へ伝達する。バッファ装置２３は評価ユニット７と更に接続される。従って、評価された応答信号は、評価ユニット７によりバッファユニット２３にも供給される。決定された送信スケジュール及び評価された応答信号をバッファに格納するときに、望ましくは、定められた送信スケジュールと応答信号との間の時間相関に関する情報項目がバッファに格納される。これは、第１のアンテナ９又は第２のアンテナ１０の選択に関する応答信号に生じる事象についての推測を可能にする。
【００２９】
対照的に、応答信号自身の評価は、均一的な方法で実施される。つまり、第１のポート１３又は第２のポート１４を介して試験機器１に供給される信号成分は、加算点１７で結合され、従って試験装置３の送信／受信装置６へ供給される。従って、ビット・エラー又はブロック・エラーに関する応答信号の評価は、第１のケーブル１５又は第２のケーブル１６を介する選択された送信経路とは独立に評価される。
【００３０】
例示した実施例では、２つのアンテナ９、１０のみ、それに応じた試験機器１の分岐装置４、２つのポート１３、１４を用いることが記載された。しかしながら、２つより多くのアンテナを用いることも相応する方法で可能であることが明らかである。
【００３１】
図２のフローチャートは、本発明による方法の実施を再び示す。最初に、段階２５で方法が開始し、モバイル無線装置２は試験機器１に接続される。この目的のため、モバイル無線装置２の第１及び第２の試験ポート１１、１２が試験機器１又は試験機器１のポート１３、１４とケーブル接続を介して接続される。次に、好適な実施例によると、用いられるべき送信スケジュールがプリセット装置５’により予め設定される（段階２６）。この用いられる送信スケジュールを考慮して、信号生成装置５により試験信号シーケンスが生成される（段階２７）。このテスト・シーケンスは、試験信号を形成するために試験機器１の送信／受信装置６により更に処理され、送信、つまりモバイル無線装置２へ転送される（段階２８）。
【００３２】
モバイル無線装置２により受信された試験信号は、モバイル無線装置２の送信／受信装置１８により評価され（段階２９）、送信された試験信号の評価された内容から、用いられるべき送信スケジュールが決定される。次に、送信スケジュールは、制御装置２１により定められ（段階３０）、コネクション制御装置１９は相応して制御される。更に、応答信号は、モバイル無線装置２の送信／受信装置１８により定められる。最も単純な例では、これは、連続する変調の方法で得られるシーケンスの復調及び変換の後に得られる同一の内容の信号の再送信であってよい。応答信号は、定められた送信スケジュールに従って再送信、つまり試験機器１へ転送される（段階３３）。最も単純な例では、上述のように、第１の試験ポート１１又は第２の試験ポート１２のいずれかを介して送信が実施される。
【００３３】
しかしながら、定められた送信スケジュールに依存して、信号成分は試験ポート１１、１２の両方を介して送信されてもよい。このように試験機器１により受信された信号成分は、第１のポート１３又は第２のポート１４を介して分岐装置４へ供給され、試験装置３の評価ユニット７により一緒に評価される。
【００３４】
ポート１３又は１４の受信した信号成分は、比較装置２２により互いに更に比較される（段階３５）。この比較から、モバイル無線装置２により定められた送信スケジュールが定められる（段階３６）。評価ユニット７による評価の結果及び決定された送信スケジュールは、バッファ装置２３に格納される（段階３７）。
【００３５】
方法の説明では、モバイル無線装置２により用いられるべき送信スケジュールは、試験機器１による試験信号の生成のときに推測的に予め設定されるとした。しかしながら、当該方法は、試験機器１による用いられるべき送信スケジュールのプリセットが生じない場合も等しく実現可能である。従って、送信スケジュールの選択及び定義は、モバイル無線装置２内の制御ユニット２１により実施される。
【００３６】
対応する方法では、試験機器１によって、試験信号の受信に用いられるべきアンテナ９又は１０、従って対応する試験ポート１１又は１２のいずれかが定められ、試験信号を介してモバイル無線装置２へ伝達されうる。この例では、次に、実際に用いられる受信スケジュールに関する情報を含む応答信号は、モバイル無線装置２の送信／受信装置１８により生成される。このように形成された応答信号の再送信を通じて、次に、用いられる受信スケジュールの評価が試験機器１内で可能である。しかしながら、この評価は、比較装置２２によってではなく評価ユニット７により実施される。評価ユニット７では、再送信された応答信号の内容が分析される。
【００３７】
本発明は、例示された実施例に限定されない。反対に、個々の特徴を互いに結合することも可能である。
【図１】
2010522490.tif 000003
【図２】
2010522490.tif 000004
【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
少なくとも１つの第１のアンテナ及び第２のアンテナを有するモバイル無線装置を試験する方法であって：
−試験機器の信号生成ユニットにより試験信号を生成する段階；
−試験されるべきモバイル無線装置へ前記試験信号を送信する段階；
−前記モバイル無線装置により前記試験信号を受信する段階；
−前記モバイル無線装置により前記試験信号を評価する段階；
−前記モバイル無線装置により応答信号を生成する段階；
−該応答信号を送信する段階；
−前記試験機器により前記応答信号を受信する段階；及び
−前記の受信した応答信号を評価する段階；
を有し、
前記信号生成ユニットにより生成された前記試験信号内に、前記応答信号の送信に用いられる送信スケジュールが予め設定され、
該送信スケジュールでは、前記モバイル無線装置の複数のアンテナの使用が定められ、
前記応答信号は、前記送信スケジュールに従って、前記第１のアンテナ又は前記第２のアンテナを介して送信され、
用いられる前記送信スケジュールは、前記試験機器内の比較装置内で決定される、
ことを特徴とする方法。
【請求項２】
試験機器の各ポートがモバイル無線装置の各アンテナに接続され、前記用いられる送信スケジュールは前記個々のポートに入来する信号成分の比較により前記応答信号の送信のために決定される、
ことを特徴とする請求項１記載の方法。
【請求項３】
前記応答信号は、前記試験機器により評価され、
前記決定された送信スケジュールは、前記試験機器によりバッファに格納され、
前記の評価された応答信号は、バッファに格納され、
前記決定された送信スケジュール及び／又は前記評価された応答信号をバッファに格納するときに、前記評価された応答信号の時間割り当て及び前記決定された送信スケジュールの時間割り当てに関する情報項目がバッファに格納される、
ことを特徴とする請求項１又は２記載の方法。
【請求項４】
前記決定された送信スケジュールは、予め設定された用いられるべき送信スケジュールと比較される、
ことを特徴とする請求項１乃至3のいずれか一項記載の方法。
【請求項５】
前記試験機器の前記ポートを介して受信された前記信号成分は、前記応答信号の評価のために結合される、
ことを特徴とする請求項１乃至4のいずれか一項記載の方法。
【請求項６】
前記モバイル無線装置は、前記応答信号内で、前記の信号の受信のために用いられるべき前記アンテナの送信スケジュールに関する情報項目を送信する、
ことを特徴とする請求項１乃至5のいずれか一項記載の方法。
【請求項７】
試験機器であって、
送信／受信装置に接続された信号生成ユニット及び評価ユニット、並びに
前記送信／受信装置を少なくとも１つの第１のポート及び第２のポートに接続する分岐装置、
を有し、
前記第１のポート及び前記第２のポートは、各ケーブルにより前記モバイル無線装置の各アンテナ試験ポートに接続され、
前記信号生成ユニットは、送信スケジュールを予め設定するプリセット装置を有する、
ことを特徴とする試験機器。
【請求項８】
前記分岐装置は、前記第１のポート及び前記第２のポートを介して受信された信号成分の比較のために設けられた比較装置を設ける、
ことを特徴とする請求項7記載の試験機器。
【請求項９】
少なくとも１つの送信／受信装置並びに少なくとも１つの第１のアンテナ及び少なくとも１つの第２のアンテナを有するモバイル無線装置であって、
別個の試験ポートが各第２のアンテナに割り当てられ、
当該送信／受信装置は、コネクション制御装置を介して前記第１のアンテナ及び更なる各アンテナに接続され、
制御ユニットは、前記送信／受信装置及び前記コネクション制御装置に接続され、
前記送信／受信装置は、該送信／受信装置を通じて、応答信号のために用いられるべき前記送信スケジュールが受信した試験信号の評価された内容から決定されうるようにされる、
ことを特徴とするモバイル無線装置。
【国際調査報告】
2010522490.tif 000005
2010522490.tif 000006
2010522490.tif 000007
2010522490.tif 000008
2010522490.tif 000009
2010522490.tif 000010
2010522490.tif 000011
2010522490.tif 000012
2010522490.tif 000013
2010522490.tif 000014
2010522490.tif 000015